(57)【要約】【課題】簡単な構成で、ノズル面がキャップで覆われることによって形成された密閉空間内の圧力を検出する。【解決手段】キャップ１１は、長方形の板状体である基部２１の外縁部からリップ部２２が突出した構造となっており、リップ部２２の上端部がノズル面３ａに密着することにより、インクジェットヘッド３とキャップ１１との間に密閉空間２０が形成される。基部２１の下面２１ｂの中央部には第１接点２６が設けられている。キャップ１１の下方に配置された板状体２５の上面２５ａの第１接点２６と対向する部分には第２接点２７が設けられている。密閉空間２０内の圧力が大気圧に近い所定圧力以上であるときには、第１接点２６と第２接点２７とが接触して導通している。密閉空間２０内の圧力が所定圧力よりも低くなると、基部２１の、密閉空間２０側への変形により、第１接点２６が第２接点２７から離れる。【選択図】図５
2015182445.tif 000002
【特許請求の範囲】
【請求項１】
ノズルから液体を噴射する液体噴射ヘッドと、
前記液体噴射ヘッドの前記ノズルが開口したノズル面と接触可能に構成され、前記ノズル面と接触した状態で、前記液体噴射ヘッドとの間に前記ノズルを覆う密閉空間を形成し、少なくとも一部分が前記密閉空間内の圧力に応じて変形するキャップと、
前記キャップと接続され、前記キャップが前記ノズル面と接触した状態で前記密閉空間と連通する吸引ポンプと、
前記キャップの変形を検出する変形検出部と、を備えていることを特徴とする液体噴射装置。
【請求項２】
前記変形検出部は、前記密閉空間の前記液体噴射ヘッドと反対側の壁の所定部分の変位を検出することによって、前記キャップの変形を検出することを特徴とする請求項１に記載の液体噴射装置。
【請求項３】
前記所定部分が、前記密閉空間の前記液体噴射ヘッドと反対側の壁の中央部であることを特徴とする請求項２に記載の液体噴射装置。
【請求項４】
前記所定部分が、周囲の部分よりも厚みの薄い薄肉部となっていることを特徴とする請求項２又は３に記載の液体噴射装置。
【請求項５】
前記変形検出部が、
前記所定部分の前記密閉空間の壁面と反対側の面に設けられた第１接点と、
前記第１接点と対向して配置され、前記キャップが前記ノズル面と接触し、且つ、前記密閉空間内の圧力が大気圧である状態で、前記第１接点と接触する第２接点と、
前記第１接点と前記第２接点とが導通しているか否かを検出する導通検出部と、を備えていることを特徴とする請求項２〜４のいずれかに記載の液体噴射装置。
【請求項６】
前記キャップと前記ノズル面とが接触した状態と、前記キャップが前記ノズル面から離隔した状態との切り換えを行う切換部と、
前記吸引ポンプ及び前記切換部の動作を制御する制御部と、を備え、
前記制御部は、
前記切換部を動作させて、前記キャップを前記ノズル面に接触させた上で、前記吸引ポンプを所定時間駆動させる吸引動作を実行させ、
前記吸引ポンプの停止後、前記変形検出部の検出結果から前記密閉空間内の圧力が所定圧力以上であるか否かを判定し、
前記密閉空間内の圧力が所定圧力未満であると判定されている間は、前記切換部に、前記キャップを前記ノズル面に接触させた状態に維持させ、
前記密閉空間内の圧力が所定圧力以上となったと判定されたときに、前記切換部に、前記キャップを前記ノズル面から離隔させることを特徴とする請求項１〜５のいずれかに記載の液体噴射装置。
【請求項７】
前記制御部が、
前記吸引ポンプの停止後、所定の待機時間が経過した後も、前記密閉空間内の圧力が所定圧力未満であると判定されているときに、前記吸引ポンプの吸引力を強めて、再度前記吸引動作を実行させることを特徴とする請求項６に記載の液体噴射装置。
【発明の詳細な説明】
【技術分野】
【０００１】
本発明は、ノズルから液体を噴射する液体噴射装置に関する。
【背景技術】
【０００２】
ノズルから液体を噴射する液体噴射装置として、特許文献１には、ノズルからインクを噴射することによって印刷を行うインクジェット式記録装置が記載されている。特許文献１に記載の記録装置では、キャップで記録ヘッドのノズル面（ノズル面）を封止した状態で、キャップに接続された吸引ポンプを駆動することによって、ノズルから記録ヘッド内の増粘したインクなどを排出させる、クリーニング動作を行っている。そして、吸引ポンプの停止後、負圧解除時間が経過したときに、キャップをノズル面から離隔させている。また、特許文献１では、キャップに、キャップ内の圧力を検出するための、半導体センサ等の負圧センサが設けられている。そして、負圧解除時間設定用のクリーニングを行い、負圧解除時間設定用のクリーニングにおいて、吸引ポンプを停止させた後、負圧センサによって検出される圧力が一定となる（大気圧となる）までの時間を計測し、この時間を負圧解除時間に設定する。
【先行技術文献】
【特許文献】
【０００３】
【特許文献１】特開２００５−２８８７６９号公報
【発明の概要】
【発明が解決しようとする課題】
【０００４】
ここで、特許文献１では、上述したように、キャップに半導体センサ等の負圧センサを設けることで、キャップ内の圧力を検出している。この場合には、負圧センサを、キャップでノズル面を覆った状態で、キャップ内に位置する部分に設ける必要がある。一方で、負圧センサの検出結果の取得、キャップのノズル面に対する移動の制御を行うための回路等は、通常、キャップの外部に設けられる。そのため、特許文献１では、キャップがノズル面を覆っている状態でのキャップ内の密閉性を維持しつつ、キャップ内の負圧センサと、キャップの外部に配置された回路と接続を行う必要があり、装置の構造が複雑になってしまう虞がある。
【０００５】
本発明の目的は、より簡単な構成で、キャップがノズル面に接触することによって形成される密閉空間内の圧力を検出することが可能な液体噴射装置を提供することである。
【課題を解決するための手段】
【０００６】
第１の発明に係る液体噴射装置は、ノズルから液体を噴射する液体噴射ヘッドと、前記液体噴射ヘッドの前記ノズルが開口したノズル面と接触可能に構成され、前記ノズル面と接触した状態で、前記液体噴射ヘッドとの間に前記ノズルを覆う密閉空間を形成し、少なくとも一部分が前記密閉空間内の圧力に応じて変形するキャップと、前記キャップと接続され、前記キャップが前記ノズル面と接触した状態で前記密閉空間と連通する吸引ポンプと、前記キャップの変形を検出する変形検出部と、を備えている。
【０００７】
本発明によると、キャップの変形を検出することによって、密閉空間内の圧力を検出している。これにより、密閉空間内の圧力に応じて、吸引ポンプの駆動を停止させた後、キャップをノズル面から離すまでの時間を、液体の粘度などに応じた適切な時間とすること等が可能となる。また、キャップの変形は、キャップの外部から検出可能であるため、変形検出部全体をキャップの外部に配置することができる。これにより、密閉空間内に圧力センサを設ける場合と比較して、装置の構成を簡単にすることができる。
【０００８】
第２の発明に係る液体噴射装置は、第１の発明に係る液体噴射装置において、前記変形検出部は、前記密閉空間の前記液体噴射ヘッドと反対側の壁の所定部分の変位を検出することによって、前記キャップの変形を検出する。
【０００９】
密閉空間内の圧力が変動したときには、通常、キャップによって形成される密閉空間の壁のうち、液体噴射ヘッドと反対側の壁が最も大きく変形する。したがって、本発明では、この壁の所定部分の変位を検出することにより、キャップの変形を効率よく検出することができる。
【００１０】
第３の発明に係る液体噴射装置は、第２の発明に係る液体噴射装置において、前記所定部分が、前記密閉空間の前記液体噴射ヘッドと反対側の壁の中央部である。
【００１１】
密閉空間の液体噴射ヘッドと反対側の壁は、中央部において最も大きく変位する。したがって、本発明では、この壁の中央部の変位を検出することにより、キャップの変形を効率よく検出することができる。
【００１２】
第４の発明に係る液体噴射装置は、第２又は第３の発明に係る液体噴射装置において、前記所定部分が、周囲の部分よりも厚みの薄い薄肉部となっている。
【００１３】
本発明によると、変位が検出される所定部分を薄肉部とすることにより、密閉空間内の圧力変動に対する所定部分の変位量を大きくすることができる。
【００１４】
第５の発明に係る液体噴射装置は、第２〜第４のいずれかの発明に係る液体噴射装置において、前記変形検出部が、前記所定部分の前記密閉空間の壁面と反対側の面に設けられた第１接点と、前記第１接点と対向して配置され、前記キャップが前記ノズル面と接触し、且つ、前記密閉空間内の圧力が大気圧である状態で、前記第１接点と接触する第２接点と、前記第１接点と前記第２接点とが導通しているか否かを検出する導通検出部と、を備えている。
【００１５】
密閉空間内の圧力が所定圧力未満のときには、所定部分の変位量が大きく、第１接点が第２接点から離れる。これにより、第１接点と第２接点とが導通しない状態となる。一方、密閉空間内の圧力が所定圧力以上のときには、所定部分の変位量が小さく、第１接点が第２接点から離れずに接触したままとなる。これにより、第１接点と第２接点とが導通した状態となる。これらのことから、第１接点と第２接点とが導通しているか否かによって、密閉空間内の圧力が所定圧力以上であるか否かを検出することができる。
【００１６】
第６の発明に係る液体噴射装置は、第１〜第５のいずれかの発明に係る液体噴射装置において、前記キャップと前記ノズル面とが接触した状態と、前記キャップが前記ノズル面から離隔した状態との切り換えを行う切換部と、前記吸引ポンプ及び前記切換部の動作を制御する制御部と、を備え、前記制御部は、前記切換部を動作させて、前記キャップを前記ノズル面に接触させた上で、前記吸引ポンプを所定時間駆動させる吸引動作を実行させ、前記吸引ポンプの停止後、前記変形検出部の検出結果から前記密閉空間内の圧力が所定圧力以上であるか否かを判定し、前記密閉空間内の圧力が所定圧力未満であると判定されている間は、前記切換部に、前記キャップを前記ノズル面に接触させた状態に維持させ、前記密閉空間内の圧力が所定圧力以上となったと判定されたときに、前記切換部に、前記キャップを前記ノズル面から離隔させる。
【００１７】
吸引ポンプの停止後、密閉空間内の圧力が所定圧力以上となったときに、キャップをノズル面から離隔させるため、液体噴射ヘッドから必要な量の液体が排出され、ノズルからのインクの排出が止まった後に、キャップをノズル面から離隔させることができる。さらに、吸引ポンプの停止後、キャップをノズル面から離隔させるまでの時間が不必要に長くなってしまうことがない。
【００１８】
第７の発明に係る液体噴射装置は、第６の発明に係る液体噴射装置において、前記制御部が、前記吸引ポンプの停止後、所定の待機時間が経過した後も、前記密閉空間内の圧力が所定圧力未満であると判定されているときに、前記吸引ポンプの吸引力を強めて、再度前記吸引動作を実行させる。
【００１９】
ノズル内の液体の粘度が高い場合などには、吸引ポンプの停止後、ノズルから液体が排出されにくく、密閉空間内の圧力がほとんど上昇しないことがある。本発明では、吸引ポンプの停止後、所定待機時間が経過しても密閉空間内の圧力が所定圧力未満である場合に、吸引ポンプの吸引力を強めて、再度吸引パージを実行させることにより、増粘した液体を確実に排出させることができる。
【発明の効果】
【００２０】
本発明によれば、キャップの変形を検出することによって、密閉空間内の圧力を検出することができる。これにより、密閉空間内の圧力に応じて、吸引ポンプの駆動を停止させた後、キャップをノズル面から離すまでの時間を、液体の粘度などに応じた適切な時間とすることなどが可能となる。また、密閉空間内に圧力センサを設ける場合と比較して、装置の構成を簡単にすることができる。
【図面の簡単な説明】
【００２１】
【図１】本発明の実施の形態に係るプリンタの概略構成図である。
【図２】（ａ）図１のII−II線断面図であり、（ｂ）がキャップがノズル面を覆っている状態の（ａ）相当の図である。
【図３】プリンタのハードウェア構成を示すブロック図である。
【図４】吸引パージの手順を示すフローチャートである。
【図５】吸引パージの各段階における図２相当の図であり、（ａ）が吸引動作時の状態、（ｂ）が吸引動作後の待機時の状態、（ｃ）が空吸引時の状態をそれぞれ示している。
【図６】（ａ）が変形例１の図２（ａ）相当の図であり、（ｂ）が変形例２の図２（ａ）相当の図である。
【図７】（ａ）が変形例３の図２（ａ）相当の図であり、（ｂ）が変形例４の図２（ａ）相当の図であり、（ｃ）が変形例４の図５（ａ）相当の図である。
【発明を実施するための形態】
【００２２】
以下、本発明の好適な実施の形態について説明する。
【００２３】
図１に示すように、本実施の形態に係るプリンタ１（本発明の「液体噴射装置」）は、キャリッジ２、インクジェットヘッド３（本発明の「液体噴射ヘッド」）、搬送ローラ４、メンテナンスユニット５等を備えている。また、プリンタ１の動作は、制御装置３０（図３参照）によって制御されている。
【００２４】
キャリッジ２は、走査方向に延びた２本のガイドレール６に支持され、キャリッジモータ３１（図３参照）に駆動されることで、ガイドレール６に沿って走査方向に往復移動する。なお、以下では、図１に示すように走査方向の右側及び左側を定義して説明を行う。インクジェットヘッド３は、キャリッジ２に搭載され、その下面であるノズル面３ａ（図２参照）に形成された複数のノズル１０からインクを噴射する。搬送ローラ４は、走査方向と直交する搬送方向におけるキャリッジ２の両側に配置され、搬送モータ３２（図３参照）に駆動されることで、記録用紙１００を搬送方向に搬送する。
【００２５】
そして、プリンタ１では、搬送ローラ４により記録用紙１００を搬送方向に搬送しつつ、キャリッジ２とともに走査方向に往復移動するインクジェットヘッド３からインクを噴射することによって、記録用紙１００に印刷を行う。
【００２６】
メンテナンスユニット５は、キャップ１１、吸引ポンプ１２、廃液タンク１３、切換バルブ１４等を備えている。
【００２７】
キャップ１１は、キャリッジ２がその移動範囲の右端に位置している状態で、インクジェットヘッド３のノズル面３ａと対向する位置に配置されている。キャップ１１は、ゴム材料等からなり、図２（ａ）、（ｂ）に示すように、基部２１とリップ部２２とを備えている。基部２１は、長方形の平面形状を有する板状となっている。また、基部２１には、接続口２１ａが形成されている。リップ部２２は、基部２１の外縁部の上面から上方に突出しており、基部２１の外縁部の全周にわたって延びている。また、キャップ１１は、キャップ昇降機構２４（図３参照）によって、昇降させることができるようになっている。
【００２８】
そして、プリンタ１では、図２（ｂ）に示すように、キャリッジ２をノズル面３ａがキャップ１１と重なる位置まで右側に移動させた状態で、キャップ昇降機構２４によってキャップ１１上昇させると、リップ部２２の上端部がノズル面３ａに密着する。これにより、ノズル面３ａがキャップ１１に覆われ、インクジェットヘッド３とキャップ１１との間に密閉空間２０が形成される（キャッピング）。このとき、インクジェットヘッド３が密閉空間２０の上側の壁を形成し、基部２１が密閉空間２０の下側の壁（本発明の「液体噴射ヘッドと反対側の壁」）を形成し、リップ部２２が密閉空間２０の側壁を形成している。なお、本実施の形態では、キャリッジ２とキャップ昇降機構２４とを合わせたものが、本発明の「切換部」に相当する。
【００２９】
また、基部２１の下面２１ｂ（本発明の「密閉空間と反対側の面」）の中央部には、第１接点２６が設けられている。第１接点２６は、その一部分が下方に突出するように折り曲げられている。一方、キャップ１１の下方には、板状体２５が配置されている。板状体２５の上面２５ａの第１接点２６と対向する部分には、第２接点２７が設けられている。第２接点２７は、第１接点２６の突出した部分と対向する部分が上方に突出するように折り曲げられている。そして、キャップ１１がノズル面３ａを覆っていない状態、及び、キャップ１１がノズル面３ａを覆っており、且つ、密閉空間２０内の圧力が大気圧である状態では、第１接点２６と第２接点２７とが接触することで導通している。また、第１接点２６及び第２接点２７は、第１接点２６と第２接点２７とが導通しているか否かを検出するための導通検出回路３３（図３参照）に接続されている。
【００３０】
吸引ポンプ１２は、チューブポンプ等であって、チューブ１６を介してキャップ１１の接続口２１ａと接続されている。また、吸引ポンプ１２は、キャップ１１と反対側において、チューブ１７を介して廃液タンク１３に接続されている。廃液タンク１３は、後述の吸引パージによって排出されたインク等を貯留するためのものである。切換バルブ１４は、チューブ１６の途中部分に設けられ、キャップ１１と吸引ポンプ１２との接続とその遮断とを切り換える。
【００３１】
そして、メンテナンスユニット５では、キャップ１１でノズル面３ａを覆うとともに、切換バルブ１４を開いてキャップ１１と吸引ポンプ１２とを接続した状態で、吸引ポンプ１２を駆動することによって、ノズル１０からインクジェットヘッド３内の増粘したインクなどを排出させる、いわゆる吸引パージを行う。なお、吸引パージの詳細については後ほど詳細に説明する。
【００３２】
次に、プリンタ１の動作を制御する制御装置３０について説明する。制御装置３０は、ＣＰＵ（Central Processing Unit）、ＲＯＭ（Read Only Memory）、ＲＡＭ（Random Access Memory）、ＡＳＩＣ（Application Specific Integrated Circuit ）等からなり、図３に示すように、インクジェットヘッド３、吸引ポンプ１２、切換バルブ１４、キャップ昇降機構２４、キャリッジモータ３１、搬送モータ３２等の動作を制御する。ここで、図３では、キャップ昇降機構２４を、制御装置３０により直接制御されるものとして図示しているが、これには限られない。キャップ昇降機構２４は、キャリッジ２がキャップ１１に近づいたときにキャリッジ２に押圧されることで上昇するなど、キャリッジ２の移動に連動して昇降するものであってもよい。そして、この場合には、制御装置３０は、キャリッジ２を移動させることにより、間接的にキャップ昇降機構２４の動作を制御することになる。
【００３３】
なお、制御装置３０は、ＣＰＵを１つだけ備え、この１つのＣＰＵが処理を一括して行うようになっていてもよいし、制御装置３０がＣＰＵを複数備え、これら複数のＣＰＵが処理を分担して行うようになっていてもよい。また、制御装置３０は、ＡＳＩＣを１つだけ備え、この１つのＡＳＩＣが処理を一括して行うようになっていてもよいし、制御装置３０がＡＳＩＣを複数備え、これら複数のＡＳＩＣが処理を分担して行うようになっていてもよい。
【００３４】
次に、上述の吸引パージについて詳細に説明する。吸引パージは、図４に示すフローチャートに沿った手順で行われる。吸引パージを行うためには、まず、キャリッジ２を移動範囲の右端まで移動させた上で、キャップ昇降機構２４を上昇させることによって、図２（ｂ）に示すように、キャップ１１でノズル面３ａを覆う（ステップＳ１０１）。なお、以下では、「ステップＳ１０１」を単に「Ｓ１０１」とするなど「ステップ」を省略する。
【００３５】
次に、図５（ａ）に示すように、切換バルブ１４を開いた上で（Ｓ１０２）、吸引ポンプ１２を駆動させる（Ｓ１０３）。すると、密閉空間２０内の圧力が低下し、ノズル１０からインクジェットヘッド３内のインクが排出される。また、このとき、密閉空間２０内の圧力が低下することにより、密閉空間２０内の圧力とキャップ１１の外部の圧力である大気圧との間に圧力差が生じ、この圧力差によってキャップ１１の基部２１が密閉空間２０側に凸となるように変形する。密閉空間２０内の圧力が低くなるほど基部２１の変形量は大きくなり、密閉空間２０内の圧力が所定圧力よりも低くなったときに、第１接点２６が第２接点２７から離れて、第１接点２６と第２接点２７とが導通しなくなる。また、このとき、変形する基部２１は、中央部（本発明の「所定部分」）において最も大きく変位するため、上記所定圧力を、大気圧に近い圧力とすることができる。
【００３６】
そして、所定の駆動時間が経過するまで（Ｓ１０４：ＮＯ）、吸引ポンプ１２の駆動を継続し、駆動時間が経過したときに（Ｓ１０４：ＹＥＳ）、吸引ポンプ１２を停止させ（Ｓ１０５）、続いて、切換バルブ１４を閉じて、キャップ１１と吸引ポンプ１２との接続を遮断する（Ｓ１０６）。なお、本実施の形態では、Ｓ１０２〜Ｓ１０６の動作が、本発明の「吸引動作」に相当する。
【００３７】
そして、この後、所定の待機時間が経過するまでの間においては（Ｓ１０７：ＮＯ）、第１接点２６と第２接点２７とが導通するまで待機し（Ｓ１０８：ＮＯ）、第１接点２６と第２接点２７とが導通したときに、キャップ１１をノズル面３ａから離隔させる（Ｓ１０９、キャップリリース）。そして、この後、切換バルブ１４を開いた状態で吸引ポンプ１２を駆動することによって、キャップ１１に溜まったインクを排出させる、いわゆる空吸引を行ってから（Ｓ１１０）動作を終了する。
【００３８】
一方、第１接点２６と第２接点２７とが導通することがなく（Ｓ１０８：ＮＯ）、所定の待機時間が経過したときには（Ｓ１０７：ＹＥＳ）、吸引ポンプ１２の回転速度の設定値を増大させた上で（Ｓ１１１）、Ｓ１０２に戻る。
【００３９】
ここで、Ｓ１０６で吸引ポンプ１２を停止させた直後には、密閉空間２０内の圧力は負圧であるため、図５（ｂ）に示すように、ノズル１０からのインクの排出は継続され、インクの排出量が増加するにつれて、密閉空間２０内の圧力が上昇して大気圧に近づく。密閉空間２０内の圧力が大気圧に近づくと、基部２１の変形量が小さくなって、第１接点２６が下方に移動する。そして、密閉空間２０内の圧力が大気圧に近い上記所定圧力以上となったときに、ノズル１０からのインクの排出が止まるとともに、第１接点２６が第２接点２７に接触して、第１接点２６と第２接点２７とが導通する。なお、第１接点２６が第２接点２７と導通するときの密閉空間２０内の圧力である上記所定圧力は、ノズル１０からのインクの排出が止まるときの密閉空間２０内の圧力よりも若干高い圧力であってもよい。
【００４０】
このとき、インクジェットヘッド３内のインクの粘度が高いほど、ノズル１０からのインクの流出速度が遅いため、密閉空間２０内の圧力が所定圧力になるまでの時間が長くなる。そのため、Ｓ１０６の後、一律の時間が経過したときに、キャップ１１をノズル面３ａから離すようにすると、上記一律の時間をインクジェットヘッド３内のインクの粘度が低い場合に合わせて短くすると、インクジェットヘッド３内のインクの粘度が高い場合に、必要な量の液体を排出させることができない虞がある。一方、上記一律の時間を、インクジェットヘッド３内のインクの粘度が高い場合に合わせて長くすると、インクジェットヘッド３内のインクの粘度が低い場合に、密閉空間２０内の圧力が大気圧に戻った後、不必要にキャップ１１がノズル面３ａに接触した状態で待機することになる。
【００４１】
そこで、本実施の形態では、上述したように、第１接点２６と第２接点２７とが導通しているか否かによって、密閉空間２０内の圧力が所定圧力以上であるか否かを検出し、第１接点２６と第２接点２７とが導通するまでの間（密閉空間２０内の圧力が所定圧力未満の間）は、キャップ１１でノズル面３ａを覆った状態を維持する。そして、第１接点２６と第２接点２７とが導通したとき（密閉空間２０内の圧力が所定圧力以上となったとき）に、キャップ１１をノズル面３ａから離隔させている。これにより、インクジェットヘッド３から十分な量のインクが排出され、ノズル１０からのインクの排出が止まってから、キャップ１１をノズル面３ａから離隔させることができる。また、キャップ１１でノズル面３ａを覆った状態を維持する時間を必要以上に長くする必要もない。
【００４２】
一方、インクジェットヘッド３内のインクの粘度が高い場合などには、Ｓ１０６の後、キャップ１１でノズル面３ａを覆った状態を維持しても、ノズル１０からインクがほとんど排出されず、密閉空間２０内の圧力がほとんど上昇しないことがある。そこで、本実施の形態では、吸引ポンプ１２の停止後、所定の待機時間が経過しても、第１接点２６と第２接点２７とが導通しない場合に、吸引ポンプ１２の回転速度を増大させて（本発明の「吸引力を強めて」）、再度、Ｓ１０２〜Ｓ１０６の吸引動作を行っている。これにより、インクジェットヘッド３内のインクの粘度が高い場合であっても、確実に、インクジェットヘッド３内の増粘したインクを排出させることができる。
【００４３】
ここで、本実施の形態とは異なり、密閉空間２０内に圧力センサを設けることで、密閉空間２０内の圧力を検出することも考えられる。しかしながら、この場合には、圧力センサを、密閉空間２０内に設けることになるため、キャップ１１でノズル面３ａを覆った状態で、密閉空間２０の密閉性を保ちつつ、密閉空間２０内の圧力センサと、キャップ１１の外部に配置された制御装置３０等とを接続する必要がある。その結果、装置が複雑になってしまう虞がある。
【００４４】
これに対して、本実施の形態では、上述したように、導通検出回路３３で第１接点２６と第２接点２７とが導通しているか否かを検出するによって、基部２１の第１接点２６が設けられた部分が所定量以上変位しているか否かを検出し、これにより、密閉空間２０内の圧力が所定圧力以上であるか否かを検出している。また、第１接点２６、第２接点２７及び導通検出回路３３は、いずれもキャップ１１の外部に配置されたものである。そのため、第１接点２６及び第２接点２７と導通検出回路３３との接続を容易に行うことができ、密閉空間２０内に圧力センサを設ける場合よりも、装置の構成を簡単にすることができる。
【００４５】
次に、本実施の形態に種々の変更を加えた変形例について説明する。
【００４６】
上述の実施の形態では、基部２１の下面２１ｂの中央部に設けた第１接点２６と第２接点２７とが導通しているか否かによって、基部２１の中央部の変位を検出し、これにより、基部２１の変形を検出したが、これには限られない。変形例１では、図６（ａ）に示すように、第１接点２６が、基部２１の下面２１ｂの中央部から搬送方向下流側にずれた部分に設けられている。この場合でも、第１接点２６と第２接点２７とが導通しているか否かによって、基部２１の中央部からずれた部分の変位量を検出することができ、これにより、基部２１の変形を検出することができる。なお、この場合には、基部２１の第１接点２６と重なる部分が、本発明の「所定部分」に相当する。
【００４７】
さらには、基部２１の変形を検出することにも限られない。例えば、リップ部２２の一部分が、密閉空間２０内の圧力に応じて変形するようになっており、リップ部２２の変位を検出することによって、密閉空間２０内の圧力を検出する等、キャップ１１の基部２１以外の部分の変形を検出することによって、密閉空間２０内の圧力を検出してもよい。
【００４８】
また、上述の実施の形態では、第１接点２６と第２接点２７とが導通しているか否かによって、基部２１が所定量以上変形しているか否かを検出したがこれには限られない。変形例２では、図６（ｂ）に示すように、第１接点２６及び第２接点２７の代わりに、基部２１の下面２１ｂの中央部に歪ゲージ４１が接合されている。また、歪ゲージ４１は、抵抗値検出回路４２に接続されている。抵抗値検出回路４２は、歪ゲージ４１の抵抗値を検出する。この場合には、基部２１が変形したときに歪ゲージ４１の抵抗値が変わるため、抵抗値検出回路４２で歪ゲージ４１の抵抗値の変化を検出することによって、基部２１の変形を検出することができる。
【００４９】
また、この場合でも、歪ゲージ４１及び抵抗値検出回路４２が、密閉空間２０の外部に配置されているため、歪ゲージ４１と抵抗値検出回路４２との接続を容易に行うことができ、装置の構成が簡単になる。なお、変形例２では、歪ゲージ４１と抵抗値検出回路４２とを合わせたものが、本発明の「変形検出部」に相当する。
【００５０】
また、上述の実施の形態は、キャップ１１の基部２１の変形を検出することによって、密閉空間２０内の圧力を検出するものであるが、基部２１の変形量は、キャップ１１の材質や基部２１の厚み等によって変わってくる。そのため、上述の実施の形態において、キャップ１１の材質や基部２１の厚みなどによっては、密閉空間２０内の圧力が低下しても、基部２１がそれほど変形しないこともある。そこで、キャップ１１の材質や基部２１の厚み等によっては、以下に説明するようにして、基部２１を変形しやすくしてもよい。
【００５１】
変形例３では、図７（ａ）に示すように、キャップ１１の基部２１の上面の、第１接点２６の突出した部分と重なる部分に、凹部２１ｃが形成されている。これより、基部２１の第１接点２６の突出した部分と重なる部分が、周囲の部分よりも厚みの薄い薄肉部２１ｄとなっている。この場合には、基部２１に薄肉部２１ｄが形成されていることにより、上述の実施の形態の場合よりも、密閉空間２０の圧力低下に対する基部２１の変形量を大きくすることができる。
【００５２】
また、キャップ１１に設けられる薄肉部は変形例３のものには限られない。変形例４では、図７（ｂ）に示すように、キャップ１１の基部２１の中央部に、周囲の部分よりも厚みが薄くなった薄肉部２１ｅが設けられている。薄肉部２１ｅは、中央部において、上側に凸となるように湾曲し、外縁部において下側に凸となるように湾曲した形状となっている。また、薄肉部２１ｅの上側に凸となるように湾曲した部分の下面には歪ゲージ５１が接合されている。歪ゲージ５１には、抵抗値検出回路５２が接続されている。
【００５３】
この場合には、図７（ｃ）に示すように、密閉空間２０内の圧力を低下させたときに、上述の実施の形態と同様、基部２１が密閉空間２０側に凸となるように湾曲する。さらに、このとき、基部２１に薄肉部２１ｅが設けられているため、基部２１の変形量は、上述の実施の形態の場合よりも大きくなる。また、このとき、薄肉部２１ｅは、下側に凸となるように湾曲した外周部分が中央部に近づくように変形し、この変形によって歪ゲージ５１の抵抗値が変わる。したがって、抵抗値検出回路５２で歪ゲージ５１の抵抗値の変化を検出することによって、基部２１の変形を検出することができる。
【００５４】
また、上述の実施の形態では、密封空間２０内の圧力が大気圧に近い所定圧力以上であるか否かによって、第１接点２６と第２接点２７とが導通するか否かが切り換わるようになっていたが、これには限られない。密閉空間２０内の圧力が上記所定圧力よりも低い別の圧力以上であるか否かによって、第１接点２６と第２接点２７とが導通するか否かが切り換わるようになっていてもよい。
【００５５】
この場合には、例えば、Ｓ１０５で吸引ポンプ１２を停止させてから、第１接点２６と第２接点２７とが導通するまでの時間を測定する。そして、測定した時間に基づいて、吸引ポンプ１２を停止させてから、密閉空間２０内の圧力が上記所定圧力となるまでの時間を推定する。そして、第１接点２６と第２接点２７とが導通した後、吸引ポンプ１２を停止させてからの経過時間が、推定した時間となるまでは、さらにキャップ１１でノズル面３ａを覆った状態を維持する。そして、吸引ポンプ１２を停止させてからの経過時間が、推定した時間となったときに、キャップ１１をノズル面３ａから離隔させる。
【００５６】
また、上述の実施の形態では、Ｓ１０６の後、第１接点２６と第２接点２７とが導通することなく（Ｓ１０８：ＮＯ）、所定の待機時間が経過した場合に（Ｓ１０７：ＹＥＳ）、吸引ポンプ１２の回転速度を増大させて、再度、Ｓ１０２〜Ｓ１０６のインク吸引動作を行ったがこれには限られない。例えば、吸引ポンプ１２の回転速度は変更せずに、再度、Ｓ１０２〜Ｓ１０６のインク吸引動作を行ってもよい。あるいは、プリンタ１の図示しない表示部等に、再度吸引パージを行うことを促すメッセージ等を表示させた上で、キャップ１１をノズル面３ａから離隔させ、動作を終了するなどしてもよい。
【００５７】
また、以上では、吸引パージにおける吸引ポンプ１２の停止後、密閉空間２０内の圧力が所定圧力以上となったときに、キャップ１１をノズル面３ａから離隔させる場合について説明したが、これには限られない。
【００５８】
例えば、プリンタ１では、通常、電源をオフにしたときに、キャップ１１が、ノズル面３ａを覆う位置まで移動するが、キャップ１１の移動が完了するまでの間に、プリンタ１のコンセントが抜かれてしまった場合等には、キャップ１１がノズル面３ａから離れた状態で長期間放置されることになる。この場合には、キャップ１１やチューブ１６などに付着したインクが乾燥しやすく、チューブ１６に増粘したインクが詰まってしまう虞がある。チューブ１６に増粘したインクが詰まってしまうと、Ｓ１０３、Ｓ１０４で吸引ポンプ１２を所定駆動時間だけ駆動しても、密閉空間２０内の圧力が所定圧力未満とならないことがある。
【００５９】
そこで、上記Ｓ１０５の段階で、第１接点２６と第２接点２７とが導通しているか否かを判定することによって、上述したようなチューブ１６に詰まりが生じているか否かを判定してもよい。なお、チューブ１６に詰まりが生じていると判断された場合には、吸引ポンプ１２の回転速度を増大させて、再度、Ｓ１０２〜Ｓ１０５の吸引動作を行わせることによって、ノズル１０からインクジェットヘッド３内のインクを排出させるとともに、密閉空間２０内及びチューブ１６内の圧力を上昇させて、詰まったインクを排出させる。あるいは、例えば、プリンタ１が、インクジェットヘッド３よりも上流側に、インクジェットヘッド３内のインクに正圧を付与する正圧付与部を備えたものである場合に、正圧付与部によってインクジェットヘッド３内のインクに正圧を付与することによって、ノズル１０からインクジェットヘッド３内のインクを排出させるとともに、密閉空間２０内及びチューブ１６内の圧力を上昇させて、詰まったインクを排出させてもよい。
【００６０】
また、以上では、ノズルからインクを噴射するインクジェットヘッドを備えたインクジェットプリンタに本発明を適用した例について説明したが、これには限られない。インク以外の液体を噴射する液体噴射ヘッドを備えた、インクジェットプリンタ以外の液体噴射装置に本発明を適用することも可能である。
【符号の説明】
【００６１】
１  プリンタ
２  キャリッジ
３  インクジェットヘッド
３ａ  ノズル面
１０  ノズル
１１  キャップ
１２  吸引ポンプ
２０  密閉空間
２４  キャップ昇降機構
２１ｄ、２１ｅ  薄肉部
２６  第１接点
２７  第２接点
３０  制御装置
３３  導通検出回路
４１、５１  歪ゲージ
４２、５２  抵抗値検出回路
【図１】
2015182445.tif 000003
【図２】
2015182445.tif 000004
【図３】
2015182445.tif 000005
【図４】
2015182445.tif 000006
【図５】
2015182445.tif 000007
【図６】
2015182445.tif 000008
【図７】
2015182445.tif 000009